(57)【要約】 【課題】本発明では、ホルダーに装着することによって通常の光ディスクドライブでの記録または再生が可能で、ホルダーに容易に着脱できるとともに繰り返し着脱することができ、さらに、ごみの付着、傷、汚れなどによる記録または再生時のエラーの少ないフレキシブル光ディスク、およびフレキシブル光ディスク用ホルダーを提供することを目的とする。 【解決手段】情報の記録・再生が可能な可撓性を有するフレキシブル光ディスクを、記録層１１より保護フィルム６側に平滑な強磁性体箔からなる反射層５を備えるように構成し、該フレキシブル光ディスクを装着するためのホルダーを、内部に磁石を備えるように構成する。【選択図】図２
2007310994.tif 000002
【特許請求の範囲】
【請求項１】
可撓性を有し、円板状のホルダーに重ね合わせて使用するフレキシブル光ディスクであって、
フィルム基材の一方の表面に形成された記録層と、
この記録層の上に形成された反射層と、
この反射層の上に形成され、前記記録層及び前記反射層を保護する保護フィルムとを備えるとともに、
前記フレキシブル光ディスクの前記記録層より前記保護フィルム側に強磁性体箔からなる層を有していることを特徴とするフレキシブル光ディスク。
【請求項２】
前記記録層は前記フィルム基材に塗布された樹脂層に凹部ピットを形成してなり、
前記反射層は凹部ピットを閉塞する前記強磁性体箔から構成されていることを特徴とする請求項１に記載のフレキシブル光ディスク。
【請求項３】
請求項１または請求項２に記載のフレキシブル光ディスクを剥離可能に支持するフレキシブル光ディスク用ホルダーであって、
前記強磁性体箔を接着する磁石を備えることを特徴とするフレキシブル光ディスク用ホルダー。
【発明の詳細な説明】
【技術分野】
【０００１】
本発明は、情報の記録・再生が可能であり可撓性を有するフレキシブル光ディスク（以下フレキシブル光ディスクと記す）、及びそのホルダーに関する。
【背景技術】
【０００２】
一般的な光ディスクの基板としては、厚さ１．２ｍｍ程度のポリカーボネート、アクリル、ポリオレフィンなどの樹脂や、ガラスなどが用いられている。しかし生産性の向上や材料の削減などから、基板に可撓性を有する厚さ３０〜３００μm程度のフィルムを使用し、ロールトゥロール方式で製造するフレキシブル光ディスクが検討されている。
【０００３】
上記フィルムに情報ピットやプリグルーブ（以下ピットと記す）を形成する方法としては、フィルム表面に紫外線硬化型樹脂を塗布し、ピットを有する原盤（以下スタンパーと記す）を押圧しながら紫外線を照射する方法と、フィルムに熱可塑性樹脂を塗布またはフィルム自身に熱可塑性樹脂を使用し、スタンパーまたはフィルムまたはその両方を加熱しながら押圧する方法がある。
【０００４】
ピットが形成されたフィルムは、追記型または書き換え型ディスクであれば、記録用色素を塗布または記録膜をスパッタや蒸着により形成し、さらに必要であればアルミニウム合金や銀合金などの反射膜をスパッタまたは蒸着にて形成し、更に保護膜や保護フィルムを積層する。読み取り専用型ディスクであれば、記録用色素の塗布や記録層のスパッタや蒸着の工程を省略することができる。その後所定の大きさに内外径を打抜くことで、フレキシブル光ディスクが完成する。
【０００５】
完成したフレキシブル光ディスクの記録再生方法としては、例えばベルヌーイの法則に基づいた安定化ガイドを使用する方法などが提案されている（例えば、特許文献１、特許文献２参照）。
特許文献１または特許文献２に提案されている方法は、高速で回転するフレキシブル光ディスクに対して光ピックアップ装置の反対側に安定化ガイドを設け、この安定化ガイドをフレキシブル光ディスクに近づけることで、光ピックアップ地点の前後にベルヌーイの法則に基づいて空気圧の差を発生させ、これによりフレキシブル光ディスクの反りやウネリ及び凹凸を矯正する方法である。
【特許文献１】特開２００３−２２６５１号公報
【特許文献２】特開２００３−６８０５０号公報
【０００６】
しかし、上記の方式では安定化ガイドが必要であり、記録、再生用の装置としてブルーレイディスク（ＢＤ）のような一般的光ディスク用の装置で記録または再生される光ディスクとの互換性が無い。更に常時フレキシブル光ディスクを高回転させなければベルヌーイの法則は成り立たなくなり、停止時や起動時など、フレキシブル光ディスクの低回転時には自重でフレキシブル光ディスクが撓み、ピックアップまたは安定化ガイドと接触する可能性がある。装置を、フレキシブル光ディスクの回転の停止または低回転時には、フレキシブル光ディスク、ピックアップまたは安定化ガイドを退避させる構造にすることも技術的には可能であるが、コストアップの要因となる。
【０００７】
また、それ以外の方法として、フレキシブル光ディスクをホルダーで支持した状態で読み取り、書き込み用の装置に収納する方法が考えられる。
フレキシブル光ディスクをホルダーに固定するために、ホルダーに粘着剤層や機械的なツメを設け、フレキシブル光ディスクディスクを装着することで、一般的な光ディスクと同じ寸法にする方法である。
【０００８】
しかし粘着剤を用いた場合、粘着剤にゴミが付着しやすくディスクの表面凹凸の原因となる。且つ、ホルダーとフレキシブル光ディスクを密着させるため、何らかの方法でホルダーにディスクを押し付ける必要があり、信号面のキズ・汚れの原因になり易い。
また機械的なツメではフレキシブル光ディスクのウネリや反りを矯正することが難しく、着脱の繰り返しによる変形も発生する。
【発明の開示】
【発明が解決しようとする課題】
【０００９】
本発明は上記事情に鑑みてなされたものであり、ホルダーに装着することによって通常の光ディスクドライブでの記録または再生が可能で、ホルダーに容易に着脱できるとともに繰り返し着脱することができ、さらに、ごみの付着、傷、汚れなどによる記録または再生時のエラーの少ないフレキシブル光ディスクを提供することを目的とする。
【課題を解決するための手段】
【００１０】
上記課題を解決するために、本発明は以下の手段を提供している。
本発明にかかるフレキシブル光ディスクは、可撓性を有し、円板状のホルダーに重ね合わせて使用されるフレキシブル光ディスクであって、フィルム基材の一方の表面に形成された記録層と、この記録層の上に形成された反射層と、この反射層の上に形成され、前記記録層及び前記反射層を保護する保護フィルムとを備えるとともに、前記フレキシブル光ディスクの前記記録層より前記保護フィルム側に強磁性体箔からなる層を有していることを特徴とする。
【００１１】
このようにフレキシブル光ディスクを構成すると、磁性によってフレキシブル光ディスクに設けられた強磁性体箔を引き付けるホルダーにフレキシブル光ディスクを剥離可能なように固定することができる。そして、フレキシブル光ディスクを、それを固定したホルダーとともに既存の記録・再生装置にセットすることによって、従来の光ディスクと同様に情報の記録または再生を行うことができる。
【００１２】
また、本発明にかかるフレキシブル光ディスクにおいて、前記記録層は前記フィルム基材に塗布された樹脂層に凹部ピットを形成してなり、前記反射層は凹部ピットを閉塞する前記強磁性体箔から構成されていることを特徴とする。
【００１３】
フレキシブル光ディスクが、フィルム基材の一方の表面に塗布された樹脂層にロールトゥロール方式で形成された凹部の開口部を反射層で塞ぎ、この凹部の内部に形成された空気層と樹脂層との屈折率差を利用する、いわゆる空気ピットによって情報の記録を行うものである場合には、凹部の開口部を覆う金属薄膜の反射層を強磁性体箔で構成することができる。このようにすると、強磁性体箔である反射層がホルダーの有する磁性に引き付けられることによって、フレキシブル光ディスクをホルダーに剥離可能なように固定することができる。
【００１４】
さらに、本発明に係るフレキシブル光ディスク用ホルダーは、請求項１または請求項２に記載のフレキシブル光ディスクを剥離可能に支持するフレキシブル光ディスク用ホルダーであって、前記強磁性体箔を接着する磁石を備えることを特徴とする。
【００１５】
このようにフレキシブル光ディスク用ホルダーを構成することによって、請求項１または請求項２に記載のフレキシブル光ディスクをホルダーに容易に固定することができる。
【発明の効果】
【００１６】
本発明によるフレキシブル光ディスクとフレキシブル光ディスク用ホルダーを磁気によって貼りあわせて装着すると、一般的な光ディスクと同じ大きさ（外径１２０ｍｍ、内径１５ｍｍ、厚さ１．２ｍｍ）にすることが可能なため、通常の光ディスクドライブで記録または再生が可能となる。また粘着剤方式や機械式ツメ方式ホルダーと比較し、フレキシブル光ディスクを簡単に着脱することができるとともに、着脱の繰り返しによる歪みも発生せず繰り返して使用することができる。また、ごみの付着、傷、汚れなどによる記録時または再生時のエラーも減少させることができる。
【発明を実施するための最良の形態】
【００１７】
本発明の一実施形態であるフレキシブル光ディスクとこのフレキシブル光ディスクが装着されたフレキシブル光ディスク用ホルダーを図１〜図４を参照しながら説明する。
本実施形態のフレキシブル光ディスクはブルーレイディスク−ロム（ＢＤ−ＲＯＭ）に適用するフレキシブル光ディスク１である。
【００１８】
フレキシブル光ディスク１は、図１に示すように、全体として薄い円板状に形成され、中央部にこの円板を貫通する円形の位置合わせ孔２があけられている。このフレキシブル光ディスク１は、図１の断面図に示すように、フィルム基材３と、このフィルム基材３の一方の表面に積層された樹脂層４と、この樹脂層４の表面に張られた強磁性体箔からなる反射層５と、この反射層５の表面に積層された保護フィルム６とから構成されている。
樹脂層４には複数の凹部７が形成され、反射層５がこの凹部７の開口部を塞ぐように張られることによって、凹部７の内部は閉塞された空間部分を形成し、この空間部分が凹部ピット９とされている。
【００１９】
このようにして形成されたフレキシブル光ディスク１では、図２に示すように、凹部ピット９と、樹脂部分１７との屈折率の差により発生する光学的光路長差１９で信号を読み取ることができる。
また窒素やアルゴンなどの不活性ガス雰囲気中でニッケル箔の反射層５とピット転写フィルム１５とを貼り合せる作業を行うことで、凹部ピット９内に不活性ガスが充填され、より信頼性の高いディスクを作製することができる。
この凹部ピット９が形成された樹脂層４が記録層１１とされている。
【００２０】
一方、ホルダー２１は、全体としてはフレキシブル光ディスク１より厚みのある円板状に形成され、一方の表面の中央部に突出するように形成された位置合わせガイド２２を備えている。フレキシブル光ディスク１の前記位置合わせ孔２の直径は位置合わせガイド２２の直径よりわずかに大きく形成されており、フレキシブル光ディスク１は位置合わせ孔２が位置合わせガイド２２に嵌合することによってホルダー２１に装着される。
【００２１】
このホルダー２１は、図３に示すように、プラスティックなどから形成された円板状のケース２６の内部に円板状の磁石２７を備えた３層状に形成され、その中心部には位置合わせガイド２２の直径よりも小さい直径のセンターホール２４がホルダー２１の厚みを貫通するようにあけられており、この孔２４に光ディスクドライブ装置のスピンドルシャフトが嵌合するようになっている。
【００２２】
このようにフレキシブル光ディスク１とホルダー２１とを構成し、ホルダー２１の位置合わせガイド２２にフレキシブル光ディスク１の位置合わせ孔２によって位置合わせをしつつ嵌め込み、強磁性の反射膜５と磁石２７との間の引っ張り力によってフレキシブル光ディスク１をホルダー２１に固定すると、フレキシブル光ディスク１の厚みを通常の光ディスクと同じ厚みにあわせることができ、通常の光ディスクドライブ装置で記録または再生することできる。
【００２３】
また、フレキシブル光ディスク１とホルダー２１とは磁石２７の力で固定されているだけなので、フレキシブル光ディスク１をホルダー２１から簡単にはずすことができるとともに、着脱による歪みも発生しにくいので繰り返して使用することができる。
さらに、フレキシブル光ディスク１のホルダー２１への着脱が容易であるため、傷、汚れなどもつきにくく、粘着剤を使用してフレキシブル光ディスク１をホルダー２１に接着する場合のようにごみが付着することも少なくなるため、記録時または再生時のエラーも減少させることができる。
【実施例】
【００２４】
フィルム基材３として厚さ９０μｍのポリカーボネートを使用し、その表面に０．０５Ｐａ・ｓのアクリル系紫外線硬化樹脂を約１０μｍの厚みで塗工し、樹脂層４とする。
フィルム基材３の種類は、樹脂層４のアクリル系紫外線硬化樹脂と密着性がよく、複屈折が小さく、紫外線を透過するような材料がよく、例えばアクリル（ＰＭＭＡ）、トリアセチルセルロース（ＴＡＣ）等が適当である。
【００２５】
また樹脂層４の紫外線硬化樹脂の種類は、ラジカル重合反応する樹脂で、分子中にアクリロイル基を有するアクリル樹脂であり、エポキシアクリレート系，ウレタンアクリレート系，ポリエステルアクリレート系，ポリオールアクリレート系のオリゴマー、ポリマーと、単官能・２官能・あるいは多官能重合性（メタ）アクリル系モノマー、例えばテトラヒドロフルフリルアクリレート，２ーヒドロキシエチルアクリレート，２ーヒドロキシー３ーフェノキシプロピルアクリレート，ポリエチレングリコールジアクリレート，ポリプロピレングリコールジアクリレート，トリメチロールプロパントリアクリレート，ペンタエリトリトールトリアクリレート，ペンタエリトリトールテトラアクリレートなどのモノマー、オリゴマー、ポリマーなどとの混合物が使用できる。またその厚さは５〜５０μｍ、粘度は紫外線硬化前で０．００３〜０．５Ｐａ・ｓ程度が好ましい。
【００２６】
次に、シリンダーに巻かれたスタンパーを用いて、樹脂層４とシリンダーのスタンパー表面とを圧着させ、平面部で紫外線照射し硬化させ、剥離ロールで抱かせながら剥離することで、ピットが転写されたフィルム（以下ピット転写フィルムと記す）１５となる。尚、駆動ロールは冷却効果をもたせるため、冷却水を通す構造とするのが良い。
【００２７】
次に粘着加工を施した厚さ３０μｍの平滑なニッケル箔を、反射膜５としてピット転写フィルム１５に貼り合わせる。反射層５用の箔としては、強磁性体で記録・再生用レーザー波長に対し適当な反射率を有する材料であればよい。具体的には、コバルト（Ｃｏ）、ニッケル（Ｎｉ）、及び鉄（Ｆｅ）のうちいずれかの単一金属、または、コバルト（Ｃｏ）、ニッケル（Ｎｉ）及び鉄（Ｆｅ）のうちのいずれかを含む合金が好ましい。
【００２８】
また、反射層５用の強磁性体箔の厚みは、薄すぎるとホルダー２１の磁石２７との間に十分な引っ張り力が得られない恐れがあり、厚すぎるとフレキシブル光ディスク１全体の厚みや重量が大きくなってしまうことを考慮すると、５〜１００μｍであることが好ましく、さらに、凹部ピット９と樹脂部分１７との屈折率の差により発生する光学的光路長差１９で信号を読み取るための強磁性体箔の表面の平滑性（Ｒａ）は、３ｎｍ以下が必要で、１ナノメータｎｍが好ましい。
【００２９】
このような構造の、ニッケル箔の反射膜７と張り合わせたピット転写フィルム５をブルーレイディスクに適用する場合、記録及び再生に使用するレーザーの波長が４０５ｎｍ，樹脂層の樹脂屈折率が約１．５、空気の屈折率が約１．０であることを考慮すれば、凹部ピット９の深さは５０〜１５０ｎｍが好ましい。
【００３０】
更に保護フィルム１３として厚さ５０μｍのポリカーボネートフィルムを貼り合せ、ディスク全体の厚さを１８０μｍとし、外径１１９ｍｍ、内径３０ｍｍに打抜き、フレキシブル光ディスク１とした。
フレキシブル光ディスク１の外径についてはディスクの規格に定められた値と同じか小さければよく、内径についてはホルダー２１の位置合わせガイド２２の径より数十μｍ程度大きくする。ブルーレイディスクに適用する場合、外径は１１８〜１２０ｍｍであり、内径は２０〜４０ｍｍであるのが好ましい。
【００３１】
ホルダー２１の形状は、図４に示すように、外形１２０ｍｍ、センターホール径１５ｍｍ、厚さ１．０２ｍｍとし、ホルダー２１の位置合わせ用ガイド２２は、高さが０．２ｍｍで外径がフレキシブル光ディスク１のセンターホール２４の径より、数十μｍ程度小さくする必要がある。
また、ホルダー２１に内蔵する磁石２７の磁力は、反射層５のニッケル箔で遮断されてピックアップ部の作動に影響を及ぼさない程度が好ましい。
【００３２】
以上のように本発明に係るフレキシブル光ディスク１をホルダー２１に装着することによって、ブルーレイディスクの規格値を満足する寸法とすることができ、一般的なブルーレイディスクドライブでの記録・再生を可能とすることができた。
【００３３】
なお、ホルダー２１に内蔵する磁石２７は、図４のように全面を覆うような形状が好ましいが、磁力の強さによっては、図５に示すように一部だけに配置しても良い。
【００３４】
また、以上に示した実施形態および実施例において、フレキシブル光ディスク１の記録層１１を内部が空間である凹部ピット９と樹脂層４で構成していたが、図６に示すように、樹脂層４に凹凸が形成されたピット転写フィルム１５上にスパッタや蒸着等で反射膜３１を形成し、ピット３４の有無による光路長差１９を利用した反射光の打ち消し効果で信号を読み取る方式の記録層３２でも良い。この場合には、図６に示すように、強磁性体箔３３を保護フィルム６の表面に貼り付ける必要がある。
【図面の簡単な説明】
【００３５】
【図１】本発明によるフレキシブル光ディスク断面図
【図２】実施形態に示したフレキシブル光ディスクの信号読み取り概念図
【図３】本発明によるフレキシブル光ディスクをホルダーに装着した状態の断面図
【図４】ホルダー平面図
【図５】ホルダー平面図
【図６】一般的な光ディスクの信号読み取り概念図
【符号の説明】
【００３６】
１・・・フレキシブル光ディスク
２・・・位置合わせ孔
３・・・フィルム基材
４・・・樹脂層
５・・・反射層（強磁性体箔）
６・・・保護フィルム
７・・・凹部
９・・・凹部ピット
１１・・・記録層
１５・・・ピット転写フィルム
１７・・・樹脂部分
１９・・・光学的光路長差
２１・・・ホルダー
２２・・・位置合わせガイド
２４・・・センターホール
２６・・・ケース
２７・・・磁石
３１・・・反射層
３２・・・記録層
３３・・・強磁性体箔
３４・・・ピット
【図１】
2007310994.tif 000003
【図２】
2007310994.tif 000004
【図３】
2007310994.tif 000005
【図４】
2007310994.tif 000006
【図５】
2007310994.tif 000007
【図６】
2007310994.tif 000008